【事件の表示】
　特許第２７５５９４８号「電子的撮像装置」の特許に対する特許異議の申立てについて、次のとおり決定する。
【結論】
　訂正を認める。
　特許第２７５５９４８号の特許を維持する。
【理由】
（１）手続の経緯
　本件特許第２７５５９４８号発明は、昭和６２年９月１１日に特許出願され、平成１０年３月６日にその特許の設定登録がなされたところ、相原光政より特許異議の申立てがなされ、平成１１年３月１２日付けで取消理由通知がなされ、その指定期間内である平成１１年６月７日に訂請求がなされたものである。
（２）訂正の適否についての判断
ア．訂正明細書の特許請求の範囲の発明
　訂正明細書の特許請求の範囲の発明は、その特許請求の範囲第１項に記載された次の事項により特定されるとおりのものである。
「被写体の画像を光電変換する撮像部と、
　この撮像部からの出力に基づいてカラー映像情報を表わす輝度信号及び色信号を各別に形成するためにカメラ部内に設けられたプロセス部と、
　記録時に前記プロセス部の出力信号により表わされる情報を上記輝度信号及び色信号に各対応した各ディジタルデータとしてそれぞれ蓄積するためのメモリ手段と、このメモリ手段の動作を制御するためのメモリ制御手段と、該メモリ手段に蓄積された上記各ディジタルデータを転送レートが等しい複数系統のディジタルデータに変換した後、該複数系統のディジタルデータを所定の順序系列によるシリーズ態様のデータ列の信号として同一のレートで出力するための出力手段とを有し、上記同一のレートで出力されるシリーズ態様のディジタルデータ列の信号を上記メモリ制御手段による制御下で、適用されたカードメモリにアドレスを指定して書込むように構成された記憶部と、
　を具備して成ることを特微とする電子的撮像装置。」
イ．訂正の目的の適否及び拡張・変更の存否
　上記訂正は、特許請求の範囲の減縮に該当し、願書に添付した明細書又は図面に記載された事項の範囲内のものであって、実質的に特許請求の範囲を拡張又は変更するものではない。
ウ．独立特許要件の判断
（引用刊行物）
　訂正明細書の特許請求の範囲の発明（以下、「本件発明」という。）に対して、当審が平成１１年３月１２日付けの取消理由で引用した刊行物１，２には、それぞれ以下のとおり記載されている。
刊行物１（米国特許ＵＳＰ４，１３１，９１９）
「図２を参照して、ＣＣＤ１９上に映し出されたシーンの静止映像を得るための信号処理回路２４の構成を示す。信号処理回路２４は一般に電源制御回路２５、及び撮像装置２６を含む。撮像装置２６は、信号の各々のパルスがＣＣＤの個々のフォトサイトに衝突する光量に比例する振幅を持ち、映し出されたシーンに対応する高周波パルス電気信号を生成するＣＣＤ１９を含む。」（第６欄第１２行〜第２０行）
「バッファ回路２９は、Ａ／Ｄコンバータ２８からディジタルワード形式の信号をリアルタイムに受信し、これらのワードがＡ／Ｄコンバータから受信されるレートより実質的に低いレートでそのワードを転送する手段を構成する。・・・バッファ回路２９はバッファから記録装置３０へ転送する前にワードがたまるとそれらを一時的に格納する高速ディジタルメモリ５８を含む。」（第８欄第２３行〜第３９行）
「このとき、４ビットワードがカウンタ６０によって決定されるアドレスのメモリ５８からパラレルビット形式で読み出され、パラレル−シリアルビットコンバータ７２に入力される。各４ビットワードはシリアル形式の４ビットワードに変換され、記録のためにカセットテープ２０へ転送される。」（第１０欄第４９行〜第５４行）
「カラー映像は適切なフィルターを有する複数のＣＣＤや１つのデベロップメントを有するカラー感応ＣＣＤを用いて可能である。カラー画像を”キャブチャー”するために、色の３原色の各々の電気信号が前述したような方法で生成されても良い。」（第１２欄第２３行〜第２８行）
刊行物２（特開昭６２−６２６７６号公報）
「撮像部１において、３はレンズ、４はレンズ３からの光像を結像され電気信号に変換して画像信号とする撮像素子で、ＣＣＤ、ＭＯＳあるいは撮像管などその他周知の撮像手段からなっている。５は撮像素子からの画像信号を処理する信号処理回路である。」（第２頁右下欄第２行〜第７行）
（対比・判断）
　本件の発明と、上記刊行物１、２に記載された発明とを対比すると、これらの刊行物に記載の発明は、本件の発明を特定する事項である「メモリ手段に蓄積された各ディジタルデータを転送レートが等しい複数系統のディジタルデータに変換した後、該複数系統のディジタルデータを所定の順序系列によるシリーズ態様のデータ列の信号として同一のレートで出力するための出力手段」を備えておらず、また、これを示唆する記載も認められない。本件の発明は、上記構成を備えることにより、「画像信号の品位を低下させずに転送できる」、「装置本体と記憶媒体との間の信号の授受に供する接続端子数を極力少なくできる」、「回路構成を簡素化することができる」という顕著な効果を奏するものであるから、本件の発明が、上記刊行物１、２に記載された発明でないことは明らかであり、かつこれらの刊行物記載のものから容易に発明をすることが出来たものともいえない。
　したがって、本件の発明は、特許出願の際、独立して特許を受けることができないとすることはできない。
エ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する第１２６条第２−４項の規定に適合するので、上記訂正を認める。
（３）特許異議申立てについての判断
ア．申立ての理由の概要
　申立人相原光政は、本件の発明は、甲第１号証（米国特許ＵＳＰ４，１３１，９１９）、甲第２号証（特開昭６２−６２６７６号公報）に記載された発明に基づいて、その発明の属する技術の分野における通常の知識を有する者が容易に発明をすることが出来たものであるから、特許法第２９条第２項の規定により特許を受けることが出来ないものであり、特許法第１１３条第１項第２号の規定により特許を取り消されるべきと主張している。
イ．判断
　上記甲第１、２号証（当審で引用した刊行物１、２）に記載された発明が「メモリ手段に蓄積された各ディジタルデータを転送レートが等しい複数系統のディジタルデータに変換した後、該複数系統のディジタルデータを所定の順序系列によるシリーズ態様のデータ列の信号として同一のレートで出力するための出力手段」を備えていないことは、上記（２）ウで述べたとおりであって、また、異議申立書において参考として提示された参考文献１（米国特許第４，０１２，５８７）及び参考文献２（特開昭６２−１４１８８７号公報）に記載された発明も上記構成を有する出力手段を備えておらず、また、これを示唆する記載も認められないから、これら甲各号証及び参考文献に基づいて、本件の発明が当業者に容易に発明をすることが出来たものとすることはできない。
　また、他に本件の発明を取り消すべき理由を発見しない。
　よって、結論のとおり決定する。
【異議決定日】
平成１１年９月２７日（１９９９．９．２７）
【訂正の要旨】
訂正の要旨
　ａ．特許明細書の「請求項１」を、
特許請求の範囲の減縮
　　　　　　　　　　　　　　　　　　記
「被写体の画像を光電変換する撮像部と、
　この撮像部からの出力に基づいてカラー映像情報を表わす
輝度信号及び色信号を各別に形成するために
　記録時に前記プロセス部の出力信号により表わされる情報を
上記輝度信号及び色信号に各対応した各
それぞれ蓄積するための
、このメモリ手段の動作を制御するためのメモリ制御手段と、
上記各
転送レートが等しい複数系統のディジタルデータに変換した後、該複数系統のディジタルデータを所定の順序系列による
同一の
、上記同一のレートで出力されるシリーズ態様のディジタルデータ列の信号を上記メモリ制御手段による制御下で、適用されたカードメモリにアドレスを指定して書込む
　を具備して成ることを特微とする電子的撮像装置。」
　ｂ．特許明細書の第５ページ第１６行〜第６ページ第１１行の「上記問題点を解決し〜備えている。」を、
明りょうでない記載の釈明
　　　　　　　　　　　　　　　　　　記
「上記問題点を解決し目的を達成するために、本発明の電子的撮像装置は以下の如く構成されている。
　被写体の画像を光電変換する撮像部（３）と、
　この撮像部（３）からの出力に基づいてカラー映像情報を表わす輝度信号及び色信号を各別に形成するためにカメラ部内に設けられたプロセス部（４）と、
　記録時に前記プロセス部（４）の出力信号により表わされる情報を上記輝度信号及び色信号に各対応した各ディジタルデータとしてそれぞれ蓄積するためのメモリ手段（５５）と、このメモリ手段（５５）の動作を制御するためのメモリ制御手段（５７）と、該メモリ手段（５５）に蓄積された上記各ディジタルデータを転送レートが等しい複数系統のディジタルデータに変換した後、該複数系統のディジタルデータを所定の順序系列によるシリーズ態様のデータ列の信号として同一のレートで出力するための出力手段（５６）とを有し、上記同一のレートで出力されるシリーズ態様のディジタルデータ列の信号を上記メモリ制御手段（５７）による制御下で、適用されたカードメモリ（２）にアドレスを指定して書込むように構成された記憶部と、
　を具備して成ることを特微としている。」
（５４）【発明の名称】
電子的撮像装置
（５７）【特許請求の範囲】
　被写体の画像を光電変換する撮像部と、
　この撮像部からの出力に基づいてカラー映像情報を表わす
輝度信号及び色信号を各別に形成するために
　記録時に前記プロセス部の出力信号により表わされる情報を
上記輝度信号及び色信号に各対応した各
それぞれ蓄積するための
、このメモリ手段の動作を制御するためのメモリ制御手段と、
上記各
転送レートが等しい複数系統のディジタルデータに変換した後、該複数系統のディジタルデータを所定の順序系列による
同一の
、上記同一のレートで出力されるシリーズ態様のディジタルデータ列の信号を上記メモリ制御手段による制御下で、適用されたカードメモリにアドレスを指定して書込む
　を具備して成ることを特微とする電子的撮像装置。
【発明の詳細な説明】
　［産業上の利用分野］
　本発明は、カメラ本体の撮像部により撮像しかつ光電変換した被写体画像の信号を、所定形態の信号に変換し、例えば上記カメラ本体に装填されるカードメモリ等の記憶媒体に出力して記録させ得るようにした電子的撮像装置に関する。
　［従来の技術］
　画像情報すなわち広帯域のＹ信号（輝度信号）に対しサブキャリアが位相変調されてなるＣ信号（カラー信号）が重畳されたコンポジットビデオ信号を、Ａ／Ｄ変換手段によりディジタル画像信号に変換し、これを画像メモリに格納するシステムは、ＴＶ画像のコンピュータ処理に用いるＴＶ画像データ入力装置として既に本出願人によっても提案されており（特公昭５９−９４１６４号公報，特公昭６０−２０２８７号公報）、このほか種々の公知のシステムが実現されている。これらのシステムは、概してＴＶカメラにより生成されたコンポジットビデオ信号を所定のレートでサンブリングしてＡ／Ｄ変換することによりディジタルデータに変換し、このディジタルデータを、所定のアドレス信号でメモリをアクセスすることにより当該メモリに格納する態様をとる。……チャックはここから
　一方近年、画像情報を信号変換機能を有する装置本体に対して着脱自在に装填可能な所謂カードメモリのような記憶媒体に、画像情報等を信号変換して記憶させるためのシステムの開発が進行しつつある。この種のシステムは、画像情報をディジタルデータに変換して記憶媒体（メモリ装置）に格納するという点においては、上述の従来のＴＶ画像データ入力装置とも軌を一にするものである。然し乍ら、記憶媒体を装置本体に対し着脱自在に装填可能な如く構成する必要があるために、両者間には何らかの接続手段を介在させる必要がある。上記接続手段として、一般的にはＰＣ板用コネクタのようなコネクタが多用されている。
　［発明が解決しようとする問題点］
　上記のような従来のシステムにおいては次のような問題点があった。記憶媒体と装置本体との間を接続する手段としてコネクタを用いる場合、端子数の非常に多いコネクタを使用する必要がある。このため、記憶媒体をコネクタに対して着脱操作する場合に大きな操作力を必要とし、操作性が悪いという欠点があった。
　また従来のシステムでは、ＴＶカメラによるコンポジットビデオ信号（即ち、輝度信号Ｙにカラー信号Ｃが重畳された態様の信号）をＡ／Ｄ変換し、メモリに格納するものであった為、高品位の画像の記録ができないという問題があった。この問題を解決するためには、ビデオ信号を各コンポーネント毎につまり輝度信号Ｙとカラー信号Ｃとを分離し、Ａ／Ｄ変換して記録すればよい。然し乍ら、このような方式をとると、装置本体と記憶媒体との間での信号授受のための端子数をさらに増やさなければならず、着脱操作性を一層悪化させる上、コンポーネント信号毎の記憶を必要とするので、記憶媒体の容量を大きくしなくてはならないという問題があった。
　本発明はこのような事情を考慮して為されたもので、その目的とするところは画像情報のその品位を低下させずに、記憶媒体に記憶させ得るのは勿論、装置本体と記憶媒体との間の信号の授受のための接続端子数および記憶媒体の容量を極力少なくでき、記憶媒体の着脱に要する操作力が少なくて済み、更に機械的な構成を簡素化でき、ひいては装置全体の製造を容易化し得、信頼性の高い電子的撮像装置を提供することにある。
　［問題点を解決するための手段］
　上記問題点を解決し目的を達成するために、本発明の電子的撮像装置は以下の如く構成されている。
　被写体の画像を光電変換する撮像部（３）と、
　この撮像部（３）からの出力に基づいてカラー映像情報を表わす輝度信号及び色信号を各別に形成するためにカメラ部内に設けられたプロセス部（４）と、
　記録時に前記プロセス部（４）の出力信号により表わされる情報を上記輝度信号及び色信号に各対応した各ディジタルデータとしてそれぞれ蓄積するためのメモリ手段（５５）と、このメモリ手段（５５）の動作を制御するためのメモリ制御手段（５７）と、該メモリ手段（５５）に蓄積された上記各ディジタルデータを転送レートが等しい複数系統のディジタルデータに変換した後、該複数系統のディジタルデータを所定の順序系列によるシリーズ態様のデータ列の信号として同一のレートで出力するための出力手段（５６）とを有し、上記同一のレートで出力されるシリーズ態様のディジタルデータ列の信号を上記メモリ制御手段（５７）による制御下で、適用されたカードメモリ（２）にアドレスを指定して書込むように構成された記憶部と、
　を具備して成ることを特微としている。
　［作用］
　上記の手段を講じた結果、下記（ａ）（ｂ）に示すような作用効果が生じる。
　（ａ）比較的低速で駆動される、カメラ本体の外部に設けられた記憶媒体（カードメモリ等）に、撮像部からの出力信号を書き込もうとすると、撮像部を比較的低速で駆動しなければならない。ところが，撮像部を比較的低速で駆動した場合、撮像部に発生するノイズが増大するのを避けられない。
　この点、本発明においては、記録すべき信号は撮像部の動作速度に見合った速度で駆動されるメモリ手段に対し、カメラ本体の外部に設けられた記憶媒体（カードメモリ等）に記録される前に、一旦ディジタルデータの形で蓄えられる。しかる後、出力手段により、上記ディジタルデータをシリーズ態様のデータ列の信号として所定レートで出力し、前記外部記憶媒体に対して記録させ得る如く構成されている。かくして本発明によれば、撮像部に発生するノイズの増大がなく、装置全体のノイズを低減することが可能となる。
　（ｂ）撮像系がカラー映像信号を扱う場合、プロセス部は複数の色信号成分を持つのが普通であるが、これらの複数の色信号成分をそのまま記録しようとすると、各色成分毎の信号伝達用コネクトピンを、カメラ本体と外部記憶媒体との間に設ける必要が生じる。このためカメラ本体の入出力部や外部記憶媒体の挿入部等の構造が複雑でかつ大型なものとなってしまい、カメラ全体の小型軽量化にとって大きな妨げとなる。
　この点、本発明においては、出力手段によってディジタルデータをシリーズ態様のデータ列の信号として所定レートで出力するように構成されている。かくして本発明によれば、カメラ本体の入出力部、即ち外部記憶媒体との信号の授受等に供する接続部の端子数が少くて済み、構造が簡単で小型軽量な装置となすことができる。
　［実施例］
　第１図は本発明を電子スチルカメラに適用した一実施例を示す図である。この電子スチルカメラは、装置本体としての電子スチルカメラ本体１と、この電子スチルカメラ本体１に対して着脱自在に装填される記憶媒体すなわちカードメモリ２とからなり、さらに上記電子スチルカメラ本体１は被写体の画像を光電変換する撮像部３と、この撮像部３からの信号を入力して輝度信号およびカラー信号に分離するプロセス部４と、このプロセス部４からの分離信号を格納する記憶部５と、で構成されている。
　撮像部３は次のように構成されている。３１はクロック信号を発生させる原発振器であり、この原発振器３１で発生したクロック信号が同期信号発生器（Ｓ．Ｓ．Ｇ）３２に入力すると、この同期信号発生器３２は同期信号を生成し、イメージャドライバ３３及びサンプリングホールド回路（Ｓ／Ｈ）３５に供給する。イメージャドライバ３３は前記クロック信号から駆動信号を生成し、イメージャ３４を駆動する。サンプリングホールド回路３５は前記同期信号発生器３２からの同期信号を受けて前記イメージャ３４から供給される画像信号をサンプリングし、かつその値をホールドする。
　プロセス部４は次のように構成されている。４１は前記撮像部３からの信号を低域フィルタリングする低域フィルタ（ＬＰＦ）であり、その通過信号はＹＣ分離器４２に入力する。このＹＣ分離器４２は被写体の明るさに対応する輝度信号Ｙと、この輝度信号Ｙに重畳された色相に対応するカラー信号Ｃとからなるコンポジットビデオ信号を、輝度信号Ｙと二つの色差信号Ｒ−Ｙ，Ｂ−Ｙとのコンポーネント信号に分離する。分離された上記色差信号Ｒ−Ｙ，Ｂ−Ｙはホワイトバランス回路（ＷＢ）４３ａ，４３ｂにより白信号を適正に補正されたのち、γ補正器４４ａ，４４ｂにより誤差を適正に補正される。またＹＣ分離器４２により分離された輝度信号Ｙはγ補正器４４ｃにより誤差を適正に補正されたのち、白信号を振幅制限される。
　記憶部５は次のように構成されている。５１は前記プロセス部４のγ補正器４４ａ，４４ｂから出力された色差信号を線順次態様に変換する線順次器である。５２は輝度信号Ｙに対応する第１のレートのクロック信号ｆ１及びカラー信号に対応する第２のレートのクロック信号ｆ２を発生させるクロック発生器である。第１のＡ／Ｄ変換器５３は、上記クロック信号発生器５２からの第１のレートのクロック信号ｆ１を受けて輝度信号をサンプリングし、アナログ／ディジタル変換を行なう。第２のＡ／Ｄ変換器５４は、前記クロック発生器５２からの第２のレートのクロック信号ｆ２を受けて線順次器５１の出力信号についてサンプリングし、アナログ／ディジタル変換を行なう。上記第１及び第２のＡ／Ｄ変換器５３，５４の各出力はメインメモリ５５の輝度信号格納用の第１のメモリ領域５５ａと、カラー信号格納用の第２のメモリ領域５５ｂにそれぞれ順次格納される。レート変換部５６は、シリアル／パラレル・コンバータ５６ａと、パラレル／シリアル・コンバータ５６ｂとからなり、メインメモリ５５に格納されている信号のうち、輝度信号Ｙをパラレル変換して転送レートをカラー信号Ｃのレートに合せ、しかるのちシリアル変換してシリーズ態様の信号として読出し、これを記憶媒体であるカードメモリ２へ出力するものである。なお上記レート変換部５６については後で詳しく説明する。メモリコントローラ５７は第１及び第２のＡ／Ｄ変換器５３，５４に入力されるコンポーネント信号の中の有効画面に対応した信号部分を抽出するようにクロック発生器５２を動作制御するものとなっている。またメモリコントローラ５７はメインメモリ５５および前記カードメモリ２の記憶制御を行なうものとなっている。
　なおクロック発生器５２から第１のＡ／Ｄ変換器５３に供給される輝度信号Ｙに対応したクロック信号ｆ１は、輝度信号Ｙの帯域４．２ＭＨｚの２倍より僅かに高い周波数１０．７ＭＨｚのクロック信号であり、第２の変換器５４に供給されるカラー信号Ｃに対応したクロック信号ｆ２は、カラー信号Ｃの帯域１．５ＭＨｚの２倍より僅かに高い周波数３．５８ＭＨｚのクロック信号である。
　第２図はシリアル／パラレル・コンバータ５６ａとパラレル／シリアル・コンバータ５６ｂからなるレート変換部５６の詳細を示す図である。シリアル／パラレル・コンバータ５６ａは前記メインメモリ５５における第１のメモリ領域５５ａから第１のレート（１０．７ＭＨｚ）で順次読出された輝度信号Ｙを入力し、カラー信号Ｃの転送レートつまり第２のレート（３．５８ＭＨｚ）と同一転送レートとなすべく、三つの３．５８ＭＨｚレートのパラレル信号Ｐ，Ｑ，Ｒに変換するものとなっている。このシリアル／パラレル・コンバータ５６ａは具体的には３ビットのＤ．Ｆ．Ｆ．（ディレーフリップフロップ）からなるシフトレジスタで構成することができ、例えばＨＤ７４ＬＳ７４Ａ（日立製）等を用いてもよい。またパラレル／シリアル・コンバータ５６ｂは前記シリアル／パラレル・コンバータ５６ａの三つのパラレル信号と、メインメモリ５５における第２のメモリ領域５５ｂから第２のレート（３．５８ＭＨｚ）で順次読出されたカラー信号Ｃとをパラレル信号として共に入力し、これら４つのパラレル信号を第３のレート（１４．３ＭＨｚ）で読出してシリアル態様の信号に変換するものとなっている。このパラレル／シリアル・コンバータ５６ｂは、具体的には４ビットのＤ．Ｆ．Ｆからなるシフトレジスタで構成することができ、例えばＨＤ７４ＬＳ１９４Ａ（日立製）等を用いてもよい。
　次にこのように構成された本実施例の電子スチルカメラの作用を第３図を適時参照して説明する。先ず撮像部３においては、原発振器３１から発生したクロック信号に基いて同期信号発生器３２から同期信号が生成され、これに応動するイメージャドライバ３３によりイメージャ３４が駆動され、イメージャ３４により撮像された被写体の画像は光電変換されて画像信号となり、この画像信号はサンプリングホールド回路３５に出力される。サンプリングホールド回路３５において、上記画像信号はサンプリングホールドされ、プロセス部４に出力される。
　プロセス部４においては、低域フィルタ４１により前記画像信号は低域フィルタリングされた後、ＹＣ分離器４２により輝度信号Ｙおよび二つの色差信号Ｒ−Ｙ，Ｂ−Ｙ、すなわちコンポーネント信号に分離される。輝度信号Ｙはγ補正器４４ｃによりγ補正され、さらにホワイトクリップ器４５により白信号を振幅制限されたのち、記憶部５へ出力される。また色差信号Ｒ−Ｙおよび色差信号Ｂ−Ｙは、それぞれホワイトバランス回路４３ａ，４３ｂによりホワイトバランス調整され、さらにγ補正器４４ａ，４４ｂによりそれぞれγ補正されたのち、記憶部５に出力される。
　記憶部５においては、メモリコントローラ５７の画像抽出を指示する制御信号を受けてクロック発生器５２が作動し、第１および第２のＡ／Ｄ変換器５３，５４を動作制御する。従って、輝度信号Ｙは第１のＡ／Ｄ変換器５３においてクロック発生器５２からの第１のレート（１０．７ＭＨｚ）のクロック信号ｆ１でサンプリングされ、ディジタル信号に変換されたのち、メインメモリ５５の第１のメモリ領域５５ａに書込まれる。またカラー信号は第２のＡ／Ｄ変換器５４においてクロック発生器５２からの第２のレート（３．５８ＭＨｚ）のクロック信号ｆ２でサンプリングされ、ディジタル信号に変換されたのち、メインメモリ５５の第２のメモリ領域５５ｂに書込まれる。
　次にメインメモリ５５の第１のメモリ領域５５ａに格納されている輝度信号Ｙは、１０．７ＭＨｚのクロック信号で順次読出されて、レート変換部５６のシリアル／パラレル・コンバータ５６ａに第３図に示す如く順次時系列的にＹｎ，Ｙｎ１，Ｙｎ２…と入力する。そしてこの輝度信号Ｙはシリアル／パラレル・コンバータ５６ａにより第１のレート（１０．７Ｈｚ）から三つの３．５８ＭＨｚレートのパラレル信号Ｐ，Ｑ，Ｒに変換される。すなわち第３図に示す如く前記輝度信号Ｙ（Ｙｎ，Ｙｎ１，Ｙｎ２…）はＹｎがパラレル信号ＰとしてＹｎ１がパラレル信号ＱとしてＹｎ２がパラレル信号Ｒとしてパラレル態様の３．５８ＭＨｚレートに伸張される。つまり上記パラレル信号Ｐ，Ｑ，Ｒは、第２のレート（３．５８ＭＨｚ）と同一転送レートに変換されたものになる。そしてこのパラレル信号Ｐ，Ｑ，Ｒはパラレル／シリアル・コンバータ５６ｂに転送される。
　一方、前記メインメモリ５５の第２のメモリ領域５５ｂに格納されているカラー信号Ｃは、第２のレート（３．５８ＭＨｚ）で順次読出され、シリアル／パラレル・コンバータ５６ｂに順次時系列的にＣｎ，Ｃｎ＋１，Ｃｎ＋２…と入力する。このようにしてパラレル／シリアル・コンバータ５６ｂに入力した前記三つのパラレル信号Ｐ，Ｑ，Ｒと、カラー信号Ｃとは、このパラレル／シリアル・コンバータ５６ｂにより４倍圧縮される。すなわち第３図に示す如く転送レートが４倍向上された１４．３ＭＨｚのシリアル信号Ｓに変換される。そしてこの信号はカラー信号Ｃｎと輝度信号（Ｙｎ，Ｙｎ１，Ｙｎ２）とからなるＹＣ多重信号ＹＣｎ，カラー信号Ｃｎ１と輝度信号（Ｙｎ３，Ｙｎ４，Ｙｎ５）とからなるＹＣ多重信号ＹＣｎ１，…という具合にシリーズ態様の信号となって単一の信号線５８を介してカードメモリ２に転送される。そして転送された輝度信号Ｙおよびカラー信号Ｃはカードメモリ２にアドレスを指定されて書込まれる。
　このように本実施例によれば比較的広帯域の周波数を有する第１の信号乃至は信号成分からなる輝度信号Ｙは、その周波数に対応した第１のレート（１０．７ＭＨｚ）でサンプリングされてシリーズ態様の信号となり、これがシリアル／パラレル・コンバータ５６ａによりパラレル態様の信号に変換される。その結果、比較的狭帯域の周波数を有する比較的低い第２のレート（３．５８ＭＨｚ）で転送される信号乃至は信号成分であるカラー信号Ｃと同一の転送レートからなる三つのパラレル信号Ｐ，Ｑ，Ｒが得られる。そして上記パラレル信号出力Ｐ，Ｑ，Ｒと、第２の信号乃至は信号成分からなるカラー信号（３．５８ＭＨｚ）とが、パラレル／シリアル・コンバータ５６ｂによって第３の転送レート（１４．３ＭＨｚ）に圧縮され、シリーズ態様の信号に変換されて出力される。従って、輝度信号Ｙとカラー信号Ｃとはコンポーネント信号として取扱われるので、画像信号の品位を低下させずに転送できる。しかも輝度信号Ｙとカラー信号Ｃとが転送レートを揃えられた状態で、シリーズ態様の信号として転送されるので、装置本体と記憶媒体との間の信号の授受に供する接続端子数を極力少なくできる。その結果、記憶媒体の着脱に要する操作力が少なくて済む。また輝度信号Ｙ（１０．７ＭＨｚ）をカラー信号Ｃ（３．５８ＭＨｚ）にする手段として、シリアル／パラレル・コンバータを用いているので、回路構成を簡素化することができる。
　尚、本発明は上述した実施例に限定されるものではなく、本発明の要旨を逸脱しない範囲で種々変形して実施可能であるのは勿論である。
　［発明の効果］
　本発明によれば、次のような作用効果を奏する電子的撮像装置を提供できる。
（ａ）本発明においては、記録すべき信号は撮像部の動作速度に見合った速度で駆動されるメモリ手段に対し、カメラ本体の外部に設けられた記憶媒体（カードメモリ等）に記録される前に、一旦ディジタルデータの形で蓄えられ、しかるのち、出力手段により上記ディジタルデータをシリーズ態様のデータ列の信号として所定レートで出力し、前記外部記憶媒体に対して記録させ得る如く構成されている。したがって本発明によれば、撮像部に発生するノイズの増大がなく、装置全体のノイズを低減することが可能となる。
（ｂ）本発明においては、出力手段によってディジタルデータをシリーズ態様のデータ列の信号として所定レートで出力するように構成されている。したがって本発明によれば、カメラ本体の入出力部、即ち外部記憶媒体との信号の授受等に供する接続部の端子数が少くて済み、構造が簡単で小型軽量な装置となすことができる。
【図面の簡単な説明】
　第１図乃至第３図は、本発明を電子スチルカメラに適用した一実施例を示す図で、第１図は電子スチルカメラの概略構成図、第２図はレート変換部を示す図、第３図は第２図の作用を説明する動作タイミングを示す図である。
　１…電子スチルカメラ本体、２…カードメモリ、３…撮像部、　４…プロセス部、５…記憶部、３１…原発振器、３２…同期信号発生器（Ｓ，Ｓ，Ｇ）、３３…イメージャドライバ、３４…イメージャ、３５…サンプリングホールド回路（Ｓ／Ｈ）、４１…低域フィルタ（ＬＰＦ）、４２…ＹＣ分離器、４３ａ，４３ｂ…ホワイトバランス回路（ＷＢ）、４４ａ，４４ｂ，４４ｃ…γ補正器、４５…ホワイトクリップ器、５１…線順次器、５２…クロック発生器、５３…第１のＡ／Ｄ変換器、５４…第２のＡ／Ｄ変換器、５５…メインメモリ、５５ａ…第１のメモリ領域、５５ｂ…第２のメモリ領域、５６ａ…シリアル／パラレル・コンバータ、５６ｂ…パラレル／シリアル・コンバータ、５７…メモリコントローラ、５８…信号線。